(57)【要約】【課題】  外箱内各所に配置された駆動部毎に安全装置を配する必要がなく、少ない部品と少ない作業工程で構築可能な洗濯物処理装置を提供する。【解決手段】  外箱に内包されている外部からの電源供給を受けて各種運転駆動を行う駆動部２８や、駆動部２８の各種運転制御を行う制御部を有する制御装置１４といった電気部品からの発煙を検知する煙センサ２５を上面板２０の後部内側に設けた収納部２６に設け、煙センサ２５の煙検知に応じて駆動部２８各部の電源を切るよう制御する。と、を設けた。【選択図】図２
2009106564.tif 000002
【特許請求の範囲】
【請求項１】
外箱と、
前記外箱に内包され、洗濯物を収容する容器と、
外箱内各所に配置されて、外部からの電源供給を受けて各種運転駆動を行う駆動部と、
前記駆動部の各種運転制御を行う制御部と、
前記外箱内部の煙を検知する煙検知部と、
を設けたことを特徴とする洗濯物処理装置。
【請求項２】
前記煙検知部が煙を検知した場合は、前記制御部は電源を切ることを特徴とする請求項１に記載の洗濯物処理装置。
【請求項３】
前記煙検知部を、前記外箱の上面を構成する上面板の後部に設けた収納部に配したことを特徴とする請求項１に記載の洗濯物処理装置。
【請求項４】
前記収納部を上方に向かって錐状または上方に向かって水平断面積が小さくなる柱状に形成すると共に、前記収納部の上部壁面に開口を形成したことを特徴とする請求項３に記載の洗濯物処理装置。
【請求項５】
前記上面板の左側または右側の外箱内の下端面の直下の空間を前部から前記収容部まで貫通するように構成したことを特徴とする請求項４に記載の洗濯物処理装置。
【発明の詳細な説明】
【技術分野】
【０００１】
本発明は安全性を高めた洗濯物処理装置に関する。
【背景技術】
【０００２】
図５に従来の洗濯物処理装置の一例である電気洗濯機の外観図、図６に従来の電気洗濯機の概略縦断面図を示す。従来の洗濯物処理装置の一種である電気洗濯機は、図５に示すように、外箱１によりその外周を覆われている。外箱１は、その前後左右の周面を覆う外槽２と、上面を覆う上面板３と、下面を覆う底台４とを備えている。上面板３は、上方に向かって開口する外箱開口部３ａ（図６参照）を有しており、その外箱開口部３ａを上方より覆うように蓋５が取り付けられている。蓋５は、図示しないヒンジ機構により外箱開口部３ａを開閉自在としている。
【０００３】
外箱１の内部には、図示しないサスペンションによって弾性支持されている水槽６が配されている。水槽６は、有底筒形状を有し、外箱開口部３ａに対向するように上方に向かって開口している。水槽６の内部には、水槽の開口部に対向するように上方に向かって開口する有底筒形状の洗濯兼脱水槽７が回転可能に配されている。洗濯兼脱水槽７の内部には、それ自身単独で、または、洗濯兼脱水槽７と共に回転するパルセータ８が配されている。
【０００４】
水槽６の下方には、洗濯兼脱水槽７の回転駆動源であるモータ９が取り付けられている。モータ９は、後述する制御装置１４の制御により駆動力を発生させる。モータ９によって生じた駆動力は、モータプーリ１０と支軸プーリ１１との間で掛けまわされるベルト１２を介して支軸プーリ１１へと伝達される。支軸プーリ１１に伝達された駆動力はギア装置１３を介して洗濯兼脱水槽７やパルセータ８へと伝達される。
【０００５】
水槽６の下方の別の部分には、水槽６内に供給された洗濯水の外箱１外への出口である排水口１５が設けられている。排水口１５は、排水弁１６を介して外箱１外に連通する排水ホース１７に接続されている。排水弁１６は、後述する制御装置１４の制御により開／閉することにより、水槽６の洗濯水の貯水／水槽６から外箱１外への洗濯水の排水を行う。
【０００６】
上面板３の前部内側には、電気洗濯機の操作入力を行う各種操作ボタンや、各種運転する際に各部の制御を行う制御部を有する制御装置１４が配されている。制御装置１４は、使用者の操作入力に基づいて、洗い・すすぎ・脱水（または、それに加えて乾燥）の各工程を単独で、または、複数の工程を連続で実行させる。
【０００７】
上面板３の後部外側には、水道の蛇口や風呂水ポンプ等に接続される接続管１８が設けられている。接続管１８は、水槽６と連通する図示しない給水経路が接続されている。給水経路には、図示しない給水弁が配置されており、制御装置１４の制御により開閉され、水槽６内への洗濯水の給水およびその停止が行われる。
【０００８】
上面板３の後部内側には、例えば、水槽６の水位を検知する図示しない水位センサ、給水弁、蓋５の開閉を検知する図示しない蓋検知ＳＷ等の電気回路が収納される収納部１９が設けられている（洗濯乾燥機においてはヒータ、送風ファン等も含まれる）。
【特許文献１】特開２００７−１９０１１６号公報
【発明の開示】
【発明が解決しようとする課題】
【０００９】
このような従来の電気洗濯機では、外部からの電源供給を受けて駆動する部品、例えば、モータ９、制御装置１４、排水弁１６、水位センサ、給水弁、蓋検知ＳＷ（洗濯乾燥機においてはヒータ、送風ファン等も含む）等の駆動部の発火に対し、これらの駆動部を内包するケースを不燃性・難燃性材料とし、その他の部分への延焼を防止したり、電気ヒューズ・サーモスタット等の安全装置を追加し、高電流・高電圧状態や異常温度状態となった場合に電源を切る等の対策を施して安全性を高めている。
【００１０】
しかしながら、発火源となるのは、駆動部本体や、それらと電気配線の接続箇所、中継配線の接続箇所といった箇所等であり、それらの発火源は外箱内各所に分散していることから、各所毎に安全装置を配して発火及び延焼を防止するような対応を採らざるを得ず、そのため、多くの部材と多くの作業工程を必要としていた。
【００１１】
そこで本発明は、多くの部品と多くの作業工程を削減することが出来、簡単な構成で安全性の高い洗濯物処理装置を提供することを目的としている。
【課題を解決するための手段】
【００１２】
上記目的を達成するため、本発明に基づく洗濯物処理装置は、外箱と、外箱に内包され、洗濯物を収容する容器と、外箱内各所に配置されて、外部からの電源供給を受けて各種運転駆動を行う駆動部と、駆動部の各種運転制御を行う制御部と、外箱内部の煙を検知する煙検知部と、を設けたことを特徴としている。
【００１３】
上記構成とすることにより、外箱内各所に配置された駆動部毎の安全装置を削減することが出来、少ない部品と少ない作業工程で構築可能な洗濯物処理装置を提供することができる。
【００１４】
また、上記構成の洗濯物処理装置において、煙検知部が煙を検知した場合は、制御部は電源を切ることを特徴としている。
【００１５】
上記構成とすることにより、発火に至る前のくすぶり煙の状況で電源を切ることにより更なる安全性を高めることができる。
【００１６】
また、上記構成の洗濯物処理装置において、煙検知部を、外箱の上面を構成する上面板の後部に設けた収納部に配したことを特徴としている。
【００１７】
上記構成とすることにより、上昇する煙は外箱内上部に集煙し、早期に煙検知することができる。
【００１８】
また、上記構成の洗濯物処理装置において、収納部を上方に向かって錐状または上方に向かって水平断面積が小さくなる柱状に形成すると共に、収納部の上部壁面に開口を形成したことを特徴としている。
【００１９】
上記構成とすることにより、外箱内下側からの煙を煙検知部へガイドし、煙検知できるものであり、また、収納部内からの煙も直接検知できる。
【００２０】
また、上記構成の洗濯物処理装置において、上面板の左側または右側の外箱内の下端面の直下の空間を前部から収容部まで貫通するように構成したことを特徴としている。
【００２１】
上記構成とすることにより、上面板前部内側に配されている制御装置からの発煙ついて、前記空間を通じ収納部へ流れ込み煙検知することができる。
【発明の効果】
【００２２】
本発明の洗濯物処理装置によれば、外箱内各所に配置された駆動部毎の安全装置を削減することができ、少ない部品と少ない作業工程で構築可能な洗濯物処理装置を提供することができる。
【発明を実施するための最良の形態】
【００２３】
以下、本発明の洗濯物処理装置を、電気洗濯機を一例として図示の実施の形態により詳細に説明する。なお、上記した背景技術として説明した図５および図６の電気洗濯機と同一の部分については同一の符号を附する。
【００２４】
図１に本発明の実施の形態の電気洗濯機の概略縦断面図を示す。本実施の形態の電気洗濯機は、外周を外箱１で覆われており、その上面を上面板２０にて覆われている。上面板２０は、上方に向かって開口する外箱開口部２０ａを有しており、その外箱開口部２０ａを上方より覆うように蓋５が取り付けられている。蓋５は、図示しないヒンジ機構により外箱開口部２０ａを開閉自在としている。
【００２５】
外箱１内には、図示しないサスペンションにより水槽６が弾性支持されている。水槽６は、有底筒形状を有し、外箱開口部２０ａに対向するように上方に向かって開口している。水槽６の内部には、水槽の開口部に対向するように上方に向かって開口する有底筒形状の洗濯兼脱水槽７が回転可能に配されている。洗濯兼脱水槽７の内部には、それ自身単独で、または、洗濯兼脱水槽７と共に回転するパルセータ８が配されている。本実施の形態の電気洗濯機は、洗濯兼脱水槽７およびパルセータ８が鉛直軸の回転軸と有する、いわゆる「縦型」の電気洗濯機である。なお、洗濯兼脱水槽７は上記容器の一例である。
【００２６】
水槽６の下方前部には、洗濯兼脱水槽７の回転駆動源であるモータ９が取り付けられている。モータ９は、後述する制御装置１４の制御により駆動力を発生させる。モータ９によって生じた駆動力は、モータプーリ１０と支軸プーリ１１との間で掛けまわされるベルト１２を介して支軸プーリ１１へと伝達される。支軸プーリ１１に伝達された駆動力はギア装置１３を介して洗濯兼脱水槽７やパルセータ８へと伝達される。
【００２７】
水槽６の下方後部には、水槽６内に供給された洗濯水の外箱１外への出口である排水口１５が設けられている。排水口１５は、排水弁１６を介して外箱１外に連通する排水ホース１７に接続されている。排水弁１６は、後述する制御装置１４の制御により開／閉することにより、水槽６の洗濯水の貯水／水槽６から外箱１外への洗濯水の排水を行う。
【００２８】
上面板２０の前部内側には、電気洗濯機の操作入力を行う各種操作ボタンや、各種運転する際に各部の制御を行う制御部を有する制御装置１４が配されている。制御装置１４は、使用者の操作入力に基づいて、洗い・すすぎ・脱水（または、それに加えて乾燥）の各工程を単独で、または、複数の工程を連続で実行させる。
【００２９】
上面板２０の後部外側には、水道の蛇口や風呂水ポンプ等に接続される接続管１８が設けられている。接続管１８は、水槽６と連通する図示しない給水経路が接続されている。給水経路には、給水弁２２（図３参照）が配置されており、制御装置１４の制御により開閉され、水槽６内への洗濯水の給水およびその停止が行われる。
【００３０】
上面板２０の後部内側には、給水弁２２（図３参照）、水槽６の水位を検知する水位センサ２３（図３参照）、蓋５の開閉を検知する蓋検知ＳＷ２４（図３参照）、煙の有無を検知する煙センサ２５等の電気回路が収納される収納部２６が設けられている。なお、煙センサ２５は上記煙検知部の一例である。
【００３１】
図２に本実施の形態の電気洗濯機の収納部２６の拡大図を示す。上面板２０の後部内側には、煙センサ２５が配される収納部２６が形成されている。収納部２６は、下方に向かって開口すると共に、上方に向かって水平断面積が小さくなる四角柱状に形成されており、その天面に煙センサ２５が取り付けられている。収納部２６の上方に向かって水平断面積が小さくなる四角柱状に形成された壁面には、収納部２６と後述する流通経路２９とを連通するように設けられる通気口２７が形成されている。
【００３２】
図３に本実施の形態の電気洗濯機の駆動部２８の回路図を示す。駆動部２８は、モータ９と、制御装置１４と、排水弁１６と、給水弁２２と、水位センサ２３と、蓋検知ＳＷ２４と、煙センサ２５とを備えている。駆動部の各構成は、制御装置１４の制御部の制御により各種運転を行う。なお、本実施の形態では例示していないが、外部からの電源供給を受けて各種運転駆動を行うものは駆動部に含まれる。また、本実施の形態では電気洗濯機を例示したが、電気洗濯乾燥機においては、乾燥用のヒータや送風ファン等の外部からの電源供給を受けて各種運転駆動を行うものも駆動部に含まれる。
【００３３】
図４に本実施の形態の電気洗濯機の上面板２０の左直下部縦断面図を示す。外箱開口部２０ａの左側の上面板２０の左側または右側の外箱内の下端面の直下の空間は、前方から後方に向けて貫通するように構成しており、煙発生時の煙の流通経路２９を形成している。この煙の流通経路２９は、上面板２０の前部内側の制御装置１４を収容している空間から上面板２０の後部内側の収納部２６まで上面板２０の外箱１内の下端面直下で貫通するように設けられている。なお、本実施の形態の電気洗濯機では流通経路２９は上面板２０の左直下部に設けたが、左右双方に設けてもよく、また、左・右の片側にのみ設けても良い。
【００３４】
本実施の形態の電気洗濯機において、駆動部２８の何れかの構成から、例えば、モータ９から発煙が生じると、その煙は、図１に示すように、外箱１前方を上方に向かって流れる。制御装置１４の下方に達した煙は流通経路２９を介して収納部２６へと導かれ、煙センサ２５に達する（矢印ａ）。煙が煙センサ２５に達すると、煙センサ２５は煙を検知したことを制御装置１４の制御部へ送り、制御部はその検知結果を受けて駆動部２８各部の電源を切るよう制御する。
【００３５】
また、モータ９からではなく、例えば、排水弁１６から発煙が生じると、その煙は、図１に示すように、外箱１後方を上方に向かって流れて、収納部２６へと入り、煙センサ２５に達する（矢印ｂ）。煙が煙センサ２５に達すると、煙センサ２５は煙を検知したことを制御装置１４の制御部へ送り、制御部はその検知結果を受けて駆動部２８各部の電源を切るよう制御する。
【００３６】
以上のように、煙センサ２５が煙を検知した場合に、制御部は電源を切るよう駆動部各部を制御することにより、外箱内各所に配置された駆動部毎に安全装置を削減することができ、少ない部品と少ない作業工程で構築可能な電気洗濯機を提供することができる。
【００３７】
また、上面板２０の前部内側の制御装置１４から上面板２０の後部内側の収納部２６まで上面板２０の外箱１内の下端面直下で貫通するように設けているので、駆動部２８各部の何れかからの発煙でも検知可能とすることができ、発火に至る前に電源を切って安全性の高い電気洗濯機を提供することができる。
【００３８】
なお、煙センサ２５は、例えば、イオン化式のものや、光電式のものあるが、それ以外の方式のものについても適用可能である。また、駆動部の各構成は本実施の形態に関わらず、外箱１の内部のその他の位置に配しても良い。
【００３９】
本実施の形態では、縦型の電気洗濯機を例示して説明を行ったが、これ以外にも、洗濯物を収容するドラムが水平または傾斜した回転軸を有するドラム式洗濯機や、乾燥機能を有する縦型電気洗濯乾燥機、ドラム式洗濯乾燥機、洗濯物の洗濯機能を有していない衣類乾燥機にも適用可能である。
【００４０】
なお、今回開示した本実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００４１】
【図１】本発明の洗濯物処理装置の実施の形態の一例である電気洗濯機の概略縦断面図である。
【図２】本発明の洗濯物処理装置の実施の形態の一例である電気洗濯機の収納部の拡大縦断面図である。
【図３】本発明の洗濯物処理装置の実施の形態の一例である電気洗濯機の駆動部の回路図である。
【図４】本発明の洗濯物処理装置の実施の形態の一例である電気洗濯機の上面板の左直下部縦断面図である。
【図５】従来の洗濯物処理装置の一例である電気洗濯機の外観図である。
【図６】従来の洗濯物処理装置の一例である電気洗濯機の概略縦断面図である。
【符号の説明】
【００４２】
１  外箱
７  洗濯兼脱水槽
９  モータ
１４  制御装置
１６  排水弁
２０  上面板
２２  給水弁
２３  水位センサ
２４  蓋検知ＳＷ
２５  煙センサ
２６  収納部
２７  通気口
２８  駆動部
２９  流通経路
【図１】
2009106564.tif 000003
【図２】
2009106564.tif 000004
【図３】
2009106564.tif 000005
【図４】
2009106564.tif 000006
【図５】
2009106564.tif 000007
【図６】
2009106564.tif 000008